(57)【要約】      （修正有）【課題】雨天時や湿度の高い環境においても効果的に灯管内の曇りや結露を防止し、発光効果を大幅に向上するとともに視覚的快適性を高める発光ダイオード灯具を提供する。【解決手段】器具本体と、発光部材と、灯管と、少なくとも１つの防水透気材とを備える。発光部材は、器具本体に取り付けられ、回路基板と、回路基板に配列して実装される複数個の発光ダイオードとを有する。灯管は器具本体に取付けられ発光部材を内装させ、灯管には少なくとも１つのスルーホールが貫設される。防水透気材はそのスルーホールを封止する。防水透気材を介して灯管内の水気を外部へ逃して排出し、外部からの水気の滲み込みを防止することができる。【選択図】図４
0003154876.tif 000002
【実用新案登録請求の範囲】
【請求項１】
器具本体と、発光部材と、灯管と、少なくとも１つの防水透気材と、を備える発光ダイオード灯具であって、
前記発光部材は、前記器具本体に取り付けられ、回路基板と、回路基板に配列して実装される複数個の発光ダイオードとを有し、
前記灯管は、器具本体に取付けられ、前記発光部材を内装させるためのもので、灯管には少なくとも１つのスルーホールが貫設され、
前記少なくとも１つの防水透気材は、前記スルーホールを封止するのに用いられ、
前記防水透気材を介して灯管内の水気を外部へ逃して排出し、外部からの水気の滲み込みを防止するように構成されることを特徴とする発光ダイオード灯具。
【請求項２】
前記器具本体は、その長手方向の相対する両端部に２つの導電部がそれぞれ設けられ、前記灯管は中空円筒状の管状体で、灯管の両端部が２つの導電部ごとにそれぞれ取り付けられ、前記発光部材の回路基板は２つの導電部に電気的に接続されることを特徴とする請求項１に記載した発光ダイオード灯具。
【請求項３】
前記灯管の相対する両端部に近接するように２つのスルーホールが貫設され、２つのスルーホールを対応的に封止するように２つの防水透気材が配設されることを特徴とする請求項１に記載した発光ダイオード灯具。
【請求項４】
前記灯管の内壁に２つの固定部が灯管の長手方向に長く延びるように形成され、前記回路基板は灯管内に２つの固定部に当接することを特徴とする請求項１に記載した発光ダイオード灯具。
【請求項５】
前記防水透気材は防水透気のクロスからなることを特徴とする請求項１に記載した発光ダイオード灯具。
【考案の詳細な説明】
【技術分野】
【０００１】
本考案は発光ダイオード灯具に関し，特に、照明に用いられる光を発生させる発光ダイオード灯具に関するものである。
【背景技術】
【０００２】
発光ダイオード(LED, liquid Emitting diode）は半導体材料による発光デバイスで、従来の種類の光源に比べると、発光効率が高く、長寿命で壊れにくいなどの優れた特性をもつことで、すでに照明灯具や様々な電気・電子製品（液晶ディスプレイや電子腕時計など）に広く使用されている。
【０００３】
充分な明るさを出す照明効果を図るために、通常は、複数個の発光ダイオードを一つの回路基板に実装して、発光効率を向上させる。図１は、従来の発光ダイオード灯具を例示するもので、この発光ダイオード灯具は、器具本体１ａと、灯管２ａと、回路基板３ａと、複数個の発光ダイオード４ａとを備える。
【０００４】
灯管２ａは透明な中空管状体で、器具本体１ａ上に取り付けられる。回路基板３ａは灯管２ａ内に配置される。発光ダイオード４ａは回路基板３ａに複数配列した。このように、発光ダイオード灯具を構成し、所定の発光効果を果たす。
【考案の概要】
【考案が解決しようとする課題】
【０００５】
しかし、このような従来の発光ダイオード灯具は、湿気が高い季節や雨の多い湿潤気候に入ると、空気中の水蒸気は器具本体１ａと灯管２ａの隙間から侵入していくことがある。加えて、発光ダイオード４ａの発光に伴い熱エネルギーも発生するので、この熱エネルギーにより生じた水蒸気が凝縮して霧や結露が発生し、ついに灯管２ａの内部表面に結露水５ａを生成する。この結露水５ａは投射光の経路内に進入するので、発光ダイオード灯具の発光効果に影響を及ぼすことになる。
【０００６】
本考案は、このような事情に鑑みてなされたもので、内部の曇りや水気を充分に逃がすとともに、外部からの水気の滲み込みを抑え、雨天時や湿度の高い環境においても効果的に曇りや結露を防止することができ、発光ダイオード灯具の発光効果を大幅に向上するとともに視覚的快適性を高めることができる発光ダイオード灯具を提供することを課題とする。
【課題を解決するための手段】
【０００７】
本考案にかかる発光ダイオード灯具は、器具本体と、発光部材と、灯管と、を備える発光ダイオード灯具であって、前記発光部材は、前記器具本体に取り付けられ、回路基板と、回路基板に配列して実装される複数個の発光ダイオードとを有し、前記灯管は、器具本体に取付けられ、前記発光部材を内装させるためのもので、灯管には少なくとも１つのスルーホールと、スルーホールを封止するための少なくとも１つの防水透気材を有する。このような構成によると、前記防水透気材を介して灯管内の水気を外部へ逃して排出し、外部からの水気の滲み込みを防止することができる。
【考案の効果】
【０００８】
本考案によると、発光ダイオード灯具の灯管のスルーホールに防水透気材を配設することにより、雨天時や湿度の高い環境においても、発光ダイオードの発光により生じた熱エネルギーにより、内部の水気を灯管内から防水透気材を介して外へ逃し、外の水気は防水透気材を介して灯管内部に侵入するのを防ぐことができるので、発光ダイオード灯具の発光効果を大幅に向上するとともに視覚的快適性を高めることができる。
【図面の簡単な説明】
【０００９】
【図１】図１は従来の発光ダイオード灯具の内部に水蒸気が凝縮して霧や結露が発生する場合を示す図である。
【図２】図２は本考案にかかる発光ダイオード灯具の分解斜視図である。
【図３】図３は本考案にかかる発光ダイオード灯具の組立て斜視図である。
【図４】図４は本考案にかかる発光ダイオード灯具の縦断面図である。
【図５】図５は本考案にかかる発光ダイオード灯具のもう一つの組立て斜視図である。
【考案を実施するための形態】
【００１０】
以下、本考案を実施の形態と添付図面に基づき更に具体的に説明するが、本考案は下記の実施の形態や添付図面により制限されるものではない。
【００１１】
本考案に係る実施の形態について、図２から図４を参照して説明する。図２〜図４は本考案にかかる発光ダイオード灯具の概要図である。発光ダイオード灯具は、器具本体１と、灯管２と、防水透気材３と、発光部材４と、を備える。
【００１２】
器具本体１は、長手形状を成す筐体構造で、アルミニウム合金などの金属から一体に形成する。器具本体１の長手方向の両端部に２つの導電部１１がそれぞれ設けられる。２つの導電部１１は電源に接続され、発光ダイオード４２の発光に必要な電源を供給する。
【００１３】
灯管２は中空円筒状の管状体で、灯管２の両端部が２つの導電部１１ごとにそれぞれ取り付けられる。灯管２は光が透過可能な透明な高分子材料から一体に形成される。なお、灯管２には２つのスルーホール２１が貫設され、２つのスルホール２１はそれぞれ灯管２の相対する両端部に近接する箇所に位置する。本考案の実施例において、スルーホール２１は灯管２の内壁と外壁を貫通する円形状の孔であるが、スルーホール２１の形状、サイズなどはこれに限られない。
【００１４】
好ましくは、灯管２の内壁に２つの固定部２２が灯管の内壁から突出して形成される。２つの固定部２２は、灯管２の長手方向に長くに延びるように形成された長状体である。回路基板４１の両側の上端縁は灯管２内に２つの固定部２２の下面に当接し、回路基板４１の両側の下端縁は灯管２の内壁に当接する。このように、回路基板４１は灯管２内に安定的に固定され、移動して位置が変位してしまうことはない。
【００１５】
好ましくは、２つの防水透気材３を配設する。防水透気材３は防水透気のクロス（ｃｌｏｔｈ（織布））からなるもので、スルーホール２１の孔の開口状に対応するように円盤形状をなす。２つの防水透気材３は２つのスルーホール２１をそれぞれ封止するためのもので、延伸多孔質ポリテトラフルオロエチレン（ｅＰＴＦＥ）からなるものである。このような材料は防水と透気の機能を兼ねて、極めて微細且つ緻密な微細孔を有するので、水が侵入することを防止することができるのに対して、水気を内部から外へ逃がすことができる。
【００１６】
器具本体１に発光部材４が取り付けられて配設される。発光部材４は、回路基板４１と複数個の発光ダイオード４２を備える。
【００１７】
回路基板４１は前記説明したように灯管２内に収容され、回路を介して２つの導電部１１に電気的に接続する。複数個の発光ダイオード４２は回路基板４１の上に配列して実装する。このように、発光ダイオード４２の発光に必要な電源を得ることができる。なお、発光部材４は灯管２に全体的に覆われるように内装されるので、直接に露出することはなく、長寿命をさらに長くすることができる。
【００１８】
図４に示すように、湿気が高い季節や雨の多い湿潤気候という外部の環境である場合、水気は発光ダイオード灯具の組立ての隙間から侵入していくことがあるが、発光ダイオード４ａの発光に伴い熱エネルギーも持続的に生じるので、この熱エネルギーにより、水気５を外部へ逃して排出する。また、防水透気材３は水気５を排出するのに加えて、水の外部からの侵入を防止することもできるので、灯管２内は常に乾燥の状態を保つことができ、灯管２の内壁に結露水が形成して発光効果に影響を及ぼすことはない。
【００１９】
また、図５に示すように、灯管２上にスルーホール２１を一つだけ貫設して、そしてそれに応じて一つだけの防水透気材３を配設するようにしてもよく、前記実施の形態と同様の効果を得られることができる。なお、スルーホール２１と防水透気材３の数は、本明細書に記載された実施の形態に限られず、発光ダイオード灯具に望ましい防湿効果をより一層向上させることができるように、実際に使用される場合に応じてその数や位置を適宜に決めればよい。即ち、灯管２上にスルーホール２１を貫設して、これを防水透気材３が封止するようにするという実施態様であれば、その数や位置にもかかわらず、すべてが本考案の修正及び変形に該当する。
【００２０】
本考案によると、下記のような効果や特徴を果たすことができる。即ち、灯管２のスルーホール２１上に防水透気材３を配設することにより、湿気が高い季節や雨の多い湿潤気候という環境の場合にも、発光ダイオード４ａの発光に伴う熱エネルギーにより、防水透気材３を介して水気５を外部へ逃して排出するとともに、水気５の外部からの侵入を防止することができるので、発光ダイオード灯具の発光効果を大幅に向上するとともに視覚的快適性を高めることができる。
【００２１】
以上、本考案の実施の形態について説明したが、本考案の技術範囲は上記実施の形態に限定されるものではなく、本考案の趣旨を逸脱しない範囲において様々の変更を加えることが可能である。
【符号の説明】
【００２２】
（従来技術）
１ａ  器具本体
２ａ  灯管
３ａ  回路基板
４ａ  発光ダイオード
５ａ  結露水
（本考案）
１  器具本体
１１  導電部
２  灯管
２１  スルーホール
２２  固定部
３  防水透気材
４  発光部材
４１  回路基板
４２  発光ダイオード
５  水気
【図１】
0003154876.tif 000003
【図２】
0003154876.tif 000004
【図３】
0003154876.tif 000005
【図４】
0003154876.tif 000006
【図５】
0003154876.tif 000007